(57)【要約】【課題】特に作図の補助具を使用することなく、波線を綺麗に描ける軌跡ペンを提供する。【解決手段】本発明の軌跡ペンは、外部フレームと、駆動部材と、回動部材と、描き部材とを有し、該駆動部材は、該外部フレームに取り付けられ、紙などの対象物に接触しながら回転し、該回動部材は、該外部フレームに取り付けられ、模様ブロックを備え、該模様ブロックの外周面に凹凸形状の模様部が設けられると共に、駆動部材によって回転し、該描き部材は、該外部カバーに取り付けられ、該模様部の凹凸形状によって往復移動する押し部を備え、模様ブロックの模様部に対応するように当接されるものである。【選択図】図１
2016221855.tif 000002
【特許請求の範囲】
【請求項１】
外部フレームと、
前記外部フレームに取り付けられ、紙などの対象物に接触しながら回転する駆動部材と、
前記外部フレームに取り付けられ、模様ブロックを備え、該模様ブロックの外周面に凹凸形状の模様部が設けられると共に、駆動部材によって回転する回動部材と、
前記外部カバーに取り付けられ、前記模様ブロックの模様部の凹凸形状によって往復移動する押し部を備え、該模様部に対応するように当接される描き部材と、を有することを特徴とする、
軌跡ペン。
【請求項２】
前記外部フレームは分解可能であり、内部に稼動空間が形成されると共に、一端に外部と連通する開口が形成され、前記駆動部材は、外部フレームの稼動空間に取り付けられると共に、伝動ユニット及び連動ユニットを有し、該伝動ユニットに伝動傘歯車が設置され、該伝動傘歯車にホイールが一体に形成され、該ホイールにより紙などの対象物に接触しながら回転し、該連動ユニットに連動傘歯車が設けられ、該連動ユニットの連動傘歯車が伝動ユニットの伝動傘歯車に噛合され、前記回動部材は、外部フレームの稼動空間に取り付けられると共に、回転座を備え、該回転座に回転傘歯車が設置され、該回転座の回転傘歯車が連動ユニットの連動傘歯車と噛合することを特徴とする請求項１に記載の軌跡ペン。
【請求項３】
前記模様ブロックが着脱可能かつ交換可能であることを特徴とする請求項１または２に記載の軌跡ペン。
【請求項４】
前記外部フレームの内部にさらに、稼動空間と連通する収納空間が形成され、該収納空間の内部に摺動スペースが形成され、また、該外部フレームの一端に外部と連通する開口が形成され、前記描き部材は、外部フレームの収納空間に取り付けられると共に、ペン挿設部と、ペン芯部と、バネとを有し、そのうち、ペン挿設部は、摺動スペースに取り付けられ、貫通するように芯穴が形成されると共に、一側面に押し部が凸設され、該押し部が模様ブロックの模様部に対応するように当接され、該ペン挿設部は、模様部の凹凸形状によって往復移動し、該ペン芯部は、ペン挿設部の芯穴に貫設され、該バネの一端がペン挿設部に、他端が外部フレームの内面に当接されることを特徴とする請求項３に記載の軌跡ペン。
【請求項５】
前記外部フレームは、２つの対称の半フレームからなり、該各半フレームの一側に駆動装着部が設けられると共に、他側に描き装着部が設けられ、該描き装着部に２本の保持リブが設けられ、また、それらの半フレームが互いに組み合わされることにより、組み合わされた駆動装着部の間に稼動空間が構成され、組み合わされた描き装着部の間に収納空間が構成され、組み合わされた描き装着部の保持リブにより摺動スペースが形成されえることを特徴とする請求項４に記載の軌跡ペン。
【請求項６】
前記各半フレームの描き装着部の２本の保持リブの間に細長状の摺動溝が横断するように形成され、前記ペン挿設部の相対する側面にそれぞれ摺動部が凸設され、該摺動部が描き装着部の摺動溝に取り付けられることを特徴とする請求項５に記載の軌跡ペン。
【請求項７】
前記駆動部材は、チェーンに連動する伝動ユニット及び連動ユニットを有することを特徴とする請求項１に記載の軌跡ペン。
【請求項８】
前記駆動部材は、ベルトに連動する伝動ユニット及び連動ユニットを有することを特徴とする請求項１に記載の軌跡ペン。
【発明の詳細な説明】
【技術分野】
【０００１】
本発明は、作図用補助具を使用しなくても、波線を綺麗に描ける軌跡ペンに関するものである。
【背景技術】
【０００２】
ポスターやカードなどを手作りで描く時には、ジグザグ線や波線などの線を用いる場合が多いので、特殊な作図用補助具（例えば、円定規や、湾曲定規、波線定規など）を用意しなければ、それらの線を綺麗に描くことはできない。故に、所望の線または形状を描くには、様々な種類の作図用補助具を用意する必要がある。
【０００３】
また、それらの作図用補助具を使用する時は、まず定規を紙の上にしっかりと押付けて固定し、定規の輪郭に沿って所望の線を引けばよい。
【先行技術文献】
【特許文献】
【０００４】
【特許文献１】中国実用新案第２００８２００２４２６３．６号
【特許文献２】中国実用新案第２０１２２０５２７５８７．８号
【特許文献３】中国実用新案第２０１２２０３３３５８２．１号
【発明の概要】
【発明が解決しようとする課題】
【０００５】
しかしながら、定規を紙の上に押付ける力が大きいと、定規が所定の位置からずれて、描きたい線から外れてしまう。さらに、それらの定規は、所定の長さしかないことから、長い連続線を描く場合には、定規を何度も移動させて、繰り返し線を描く必要がであるので、非常に面倒であると共に、線と線との接点を綺麗に描くこともできない。
また、これらの作図用補助具を用いたとしても、所定の形状や線しか描けず、それ以外のパターンを描きたい場合には、他の作図用補助具を用意する必要があった。
故に、既存の描き方では、ミスをしやすいと共に、作図用補助具の用意する手間もかかることから、作図上非常に不便であった。
【課題を解決するための手段】
【０００６】
本発明の軌跡ペンは、外部フレームと、前記外部フレームに取り付けられ、紙などの対象物に接触しながら回転する駆動部材と、前記外部フレームに取り付けられ、模様ブロックを備え、該模様ブロックの外周面に凹凸形状の模様部が設けられると共に、駆動部材によって回転する回動部材と、前記外部カバーに取り付けられ、該模様部の凹凸形状によって往復移動する押し部を備え、模様ブロックの模様部に対応するように当接される描き部材とを有するものである。
【０００７】
かかる軌跡ペンにおいて、前記外部フレームは分解可能であり、内部に稼動空間が形成されると共に、一端に外部と連通する開口が形成され、前記駆動部材は、外部フレームの稼動空間に取り付けられると共に、伝動ユニット及び連動ユニットを有し、該伝動ユニットに伝動傘歯車が設置され、該伝動傘歯車にホイールが一体に形成され、該ホイールにより紙などの対象物に接触しながら回転し、該連動ユニットに連動傘歯車が設けられ、該連動ユニットの連動傘歯車が伝動ユニットの伝動傘歯車に噛合され、前記回動部材は、外部フレームの稼動空間に取り付けられると共に、回転座を備え、該回転座に回転傘歯車が設置され、該回転座の回転傘歯車が連動ユニットの連動傘歯車と噛合することが好ましい。
【０００８】
かかる軌跡ペンにおいて、前記模様ブロックが着脱可能かつ交換可能であることが好ましい。
【０００９】
かかる軌跡ペンにおいて、前記外部フレームの内部にさらに、稼動空間と連通する収納空間が形成され、該収納空間の内部に摺動スペースが形成され、また、該外部フレームの一端に外部と連通する開口が形成され、前記描き部材は、外部フレームの収納空間に取り付けられると共に、ペン挿設部と、ペン芯部と、バネとを有し、そのうち、ペン挿設部は、摺動スペース１に取り付けられ、貫通するように芯穴が形成されると共に、一側面に押し部が凸設され、該押し部が模様ブロックの模様部に対応するように当接され、該ペン挿設部は、模様部の凹凸形状によって往復移動し、該ペン芯部は、ペン挿設部の芯穴に貫設され、該バネの一端がペン挿設部に、他端が外部フレームの内面に当接されることが好ましい。
【００１０】
かかる軌跡ペンにおいて、前記外部フレームは、２つの対称の半フレームからなり、該各半フレームの一側に駆動装着部が設けられると共に、他側に描き装着部が設けられ、該描き装着部に２本の保持リブが設けられ、また、それらの半フレームが互いに組み合わされることにより、組み合わされた駆動装着部の間に稼動空間が構成され、組み合わされた描き装着部の間に収納空間が構成され、組み合わされた描き装着部の保持リブにより摺動スペースが形成され、また、前記各半フレームの描き装着部の２本の保持リブの間に細長状の摺動溝が横断するように形成され、前記ペン挿設部の相対する側面にそれぞれ摺動部が凸設され、該摺動部が描き装着部の摺動溝に取り付けられることが好ましい。
【００１１】
かかる軌跡ペンにおいて、前記駆動部材は、チェーンに連動する伝動ユニット及び連動ユニットを有することが好ましい。
【００１２】
かかる軌跡ペンにおいて、前記駆動部材は、ベルトに連動する伝動ユニット及び連動ユニットを有することが好ましい。
【発明の効果】
【００１３】
本発明に係る軌跡ペンは、以下に示すようなメリットを有する。
１．本発明の軌跡ペンを使用する時は、使用者が軌跡ペンを持ちながら紙上においてホイールを回転させると、伝動ユニット、連動ユニット、回転座が駆動して模様ブロックを回転させ、その凹凸形状の模様部が描き部材の押し部を押し込んだり収容したりすることによって、描き部材のペン芯部が往復移動して規則的かつ綺麗な波線を描くことができる。故に、円定規や、湾曲定規、波線定規などの特製の作図用補助具を用意する必要はない。
２．本発明の軌跡ペンを使用する時は単に、使用者が片手で持ちながら紙に対して移動させればよく、片方の手でペンを持ちながらもう片方の手で道具を紙に押付ける必要はないので、手軽に綺麗な波線を描くことができ、失敗することもない。
３．また、本発明の軌跡ペンによれば、使用者が描きたい長さまで波線を引くことができ、作図用補助具のように、描ける長さに制限がないことから、定規を何度も移動させて、繰り返し線を描く必要はない。
さらに、その模様ブロックは着脱可能かつ交換可能であることから、使用者が所望の模様ブロックを交換すればよく、様々な種類の作図用補助具を用意する必要はないので、時間やコストを節約することができる。
【図面の簡単な説明】
【００１４】
【図１】本発明に係る軌跡ペンの第一実施例の斜視図である。
【図２Ａ】本発明に係る軌跡ペンの第一実施例の分解斜視図である。
【図２Ｂ】本発明に係る軌跡ペンの第一実施例の部分分解斜視図である。
【図３】本発明に係る軌跡ペンの第一実施例の部分拡大平面図である。
【図４】本発明に係る軌跡ペンの第二実施例の部分分解斜視図である。
【図５】図３のＡ−Ａ線の断面図である。
【図６】本発明に係る軌跡ペンで波線を描く操作状態においての図３のＡ−Ａ線の断面図である。
【図７】本発明に係る軌跡ペンで波線を描く操作状態を示す斜視図である。
【発明を実施するための形態】
【００１５】
図１及び図２Ａに示すように、本発明に係る軌跡ペンの第一実施例は、外部カバー１０と、駆動部材２０と、回動部材３０と、描き部材４０とを有し、そのうち、外部カバー１０は、中空状を呈し、該駆動部材２０、回動部材３０、描き部材４０はそれぞれ外部カバー１０の内部に取り付けられる。また、その駆動部材２０が回転すると、回動部材３０が回転し、それに連動して描き部材４０も駆動することから、描き部材４０により波線などの線を綺麗に描くことかできる。
【００１６】
図１及び図２Ａに示すように、本発明に係る軌跡ペンの第一実施例において、外部カバー１０は、２つの対称の半フレーム１１からなり、該２つの半フレーム１１を組み合わせると、その内部の一側に稼動空間、他側に収納空間が形成される。また、該各半フレーム１１の一側に駆動装着部１１１が設けられると共に、他側に描き装着部１１２が設けられる。該駆動装着部１１１は、枠状を呈し、下端に外部と連通する下部開口が形成されると共に、中央に連結板が設けられ、該連結板の両側にそれぞれ翼板が設けられ、その２枚の翼板の下端近傍にそれぞれ対向するように半円形の伝動穴１１１０１が形成され、その２枚の伝動穴１１１０１の略上方にそれぞれ対向するように半円形の連動穴１１１０２が形成され、該連結板における連動穴１１１０２の上方近傍に回転板１１１１が延設され、該回転板１１１１の先端中央に半円形の回転穴１１１１０が凹設され、更に、該連結板の回転板１１１１の上方近傍に保持板１１１２が延設され、該保持板１１１２の先端中央に保持穴１１１２１が形成される。
【００１７】
図２Ａに示すように、前記描き装着部１１２は、駆動装着部矩形の枠状を呈し、高さが駆動装着部１１１の上部より高く、下端に外部と連通する下部開口が形成されると共に、中央に連結板が設けられ、該連結板の両側にそれぞれ翼板が設けられ、該描き装着部１１２の連結板における、駆動装着部１１１の保持板１１１２より高い箇所に細長状の摺動溝１１２１が横断するように形成され、該描き装着部１１２の連結板及び２枚の翼板における摺動溝１１２１の上側及び下側にそれぞれ保持リブ１１２２が横断するように設けられる。
また、前記描き装着部１１２における、駆動装着部１１１と反対する側の翼板に２本のバネ止めリブ１１２３が上下に間隔をおいて設けられ、そのうち、１本のバネ止めリブ１１２３が上側の保持リブ１１２２と摺動溝１１２１との間に位置し、もう１本のバネ止めリブ１１２３が下側の保持リブ１１２２と摺動溝１１２１との間に位置する。
【００１８】
本実施例においては、その外部カバー１０が２つの半フレーム１１からなることから、それらの半フレーム１１を組み合わせると、組み合わされた駆動装着部１１１の間に稼動空間が構成され、組み合わされた描き装着部１１２の間に収納空間が構成され、更に、組み合わされた描き装着部１１２の保持リブ１１２２によって該収納空間に摺動スペースが形成される。
また、その２つの半フレームの組み合わせ手段について、その一方の半フレーム１１に複数の凸柱が設けられ、他方の半フレーム１１に複数の凹部が形成され、それらの凸柱がそれぞれ対応する凹部に嵌合され、２つの半フレーム１１を組み合わせることが好ましい。
【００１９】
図２Ａ及び図２Ｂに示すように、前記駆動部材２０は、紙や、ポスター、カードなどの対象物に接触しながら回転するものであり、外部カバー１０の稼動空間に取り付けられ、伝動ユニット２１と、ホイール２２と、連動ユニット２３とを有する。その内、伝動ユニット２１は、一側に伝動傘歯車２１１が設置されると共に、他側に矩形の係合ブロック２１２が設けられ、該伝動傘歯車２１１の端面中心及び係合ブロック２１２の端面中央にそれぞれ取付軸２１３が凸設され、該ホイール２２の中心に矩形の係合穴２２１が貫穿するように形成され、該係合穴２２１に伝動ユニット２１の係合ブロック２１２を貫設させ、該連動ユニット２３に連動傘歯車２３１が設けられ、該連動傘歯車２３１の両側端面の中心にそれぞれ円柱状の連動軸２３２が凸設される。
【００２０】
図２Ｂに示すように、前記回動部材３０は、外部カバー１０の稼動空間に取り付けられ、回転座３１と、模様ブロック３２と、位置決めブロック３３とを有する。その内、該回転座３１の下側に回転傘歯車３１１が設置され、該回転傘歯車３１１の底面中心に円柱状の回転柱が凸設され、該回転傘歯車３１１の上面中心に回転棒３１２が設けられる。該回転棒３１２は、２つの半フレーム１１の保持板１１１２からなる保持穴１１１２１に挿設され、外周面及び上面に矩形の嵌め穴３１２１が軸方向に沿って凹設され、該模様ブロック３２は、着脱可能且つ交換可能に回転座３１の回転棒３１２に環装され、外周面に凹凸形状の模様部３２１が設けられる。
尚、前記模様部３２１は、六芒星の形状を呈することが好ましく、該模様ブロック３２の中心に回転棒３１２を貫設させるための環装穴３２２が形成され、該環装穴３２２の内周面の一箇所に、嵌め穴３１２１に嵌め込むための矩形の係合部３２３が凸設され、また、前記位置決めブロック３３は、円筒状を呈し、底面中心に凹部３３１が形成され、該凹部３３１を介して模様ブロック３２の上側に位置するように、回転座３１の回転棒３１２に環装される。
【００２１】
図２Ｂに示すように、前記描き部材４０は、外部カバー１０の収納空間に取り付けられ、ペン挿設部４１と、ペン芯部４２と、止めリング４３と、バネ４４とを有する。その内、ペン挿設部４１は、四角柱状を呈し、その上下方向の長さが描き装着部１１２の２本の保持リブ１１２２との距離と一致し、その底面に円柱状の螺合設置部４１１が凸設され、該螺合設置部４１１の外周面にネジ山が形成され、該ペン挿設部４１の上面中心から螺合設置部４１１の底面中心を貫通するように芯穴４１２が形成され、該ペン挿設部４１の一側面に四角錐状の押し部４１３が凸設され、該ペン挿設部４１の、押し部４１３と相対する一側面に短い円形の柱部４１４が凸設され、該ペン挿設部４１の、他の相対する両側面にそれぞれ摺動部４１５が凸設され、その押し部４１３、ロッド４１４、２つの摺動部４１５はそれぞれ、ペン挿設部４１の同一の高さに、且つ同一直線状に設置される。
また、前記ペン芯部４２は、細長状かつ円柱状を呈し、その外径は、芯穴４１２の径と対応しており、下端に、より小径のヘッド４２１が設置される。前記止めリング４３は、中心に貫通孔が形成され、該貫通孔の上部の内周面にネジ山が形成され、該ネジ山を介して螺合設置部４１１のネジ山に螺合され、更に、そのペン芯部４２のヘッド４２１は、ペン挿設部４１の芯穴４１２を貫いて螺合設置部４１１に設置される止めリング４３の貫通孔から突出し、前記バネ４４は、ペン挿設部４１のロッド４１４に環装される。
【００２２】
図２Ａ乃至図３に示すように、本発明に係る軌跡ペンを組み立てる時は、まず駆動部材２０における伝動ユニット２１の係合ブロック２１２をホイール２２の係合穴２２１に嵌め込み、両端の取付軸２１３により回転可能に半フレーム１１の伝動穴１１１０１に設置すると共に、連動ユニット２３の連動傘歯車２３１を伝動ユニット２１の伝動傘歯車２１１に噛合させて、両端の連動軸２３２を回転可能に半フレーム１１の連動穴１１１０２に嵌め込む。
【００２３】
続いて、回動部材３０における回転座３１の回転傘歯車３１１を連動ユニット２３の連動傘歯車２３１に噛合すると共に、回転座３１の回転柱が回転可能な状態で半フレーム１１における回転板１１１１の回転穴１１１１０に嵌め込み、回転座３１の回転棒３１２を半フレーム１１の保持板１１１２の保持穴１１１２１に設置する。この構成によれば、回転座３１の回転傘歯車３１１は、連動ユニット２３の連動傘歯車２３１と連動することができる。更に、模様ブロック３２の係合部３２３を回転座３１の嵌め穴３１２１と対応するように嵌め込み、模様ブロック３２を環装穴３２２を介して回転棒３１２に環装し、位置決め蓋３３を凹部３３１を介して模様ブロック３２の上部をカバーしながら回転座３１の回転棒３１２に取り付ける。
【００２４】
次に、描き部材４０の止めリング４３をペン挿設部４１の螺合設置部４１１に螺合し、ペン芯部４２のヘッド４２１をペン挿設部４１の芯穴４１２に差し込んで止めリング４３から突出させ、バネ４４をペン挿設部４１のロッド４１４に取り付ける。
また、ペン挿設部４１、ペン芯部４２、止めリング４３、バネ４４を、２つの半フレーム１１の描き装着部１１２に組み立てる時は、そのペン挿設部４１を描き装着部１１２の２本の保持リブ１１２２の間に位置させると共に、摺動部４１５を描き装着部１１２における連結板の摺動溝１１２１に取り付け、バネ４４を描き装着部１１２本のバネ止めリブ１１２３の間に位置させるように描き装着部１１２の翼板の内面に当接させる。この構成によれば、ペン挿設部４１の押し部４１３が模様ブロック３２の模様部３２１に対応するように当接される。
【００２５】
図４に示すように、本発明に係る軌跡ペンの第二実施例は、殆ど第一実施例と同一であるが、駆動部材２０の伝動ユニット２１における、伝動傘歯車２１１と反対する側にホイール２１４が一体に形成され、また、該伝動ユニット２１の両側の中心にそれぞれ取付軸２１３が凸設される点において異なる。
【００２６】
図５乃至図７に示すように、本発明に係る軌跡ペンを使用する時は、使用者が軌跡ペンを持ちながら紙に対して移動させ、そのホイール２２が紙と接触しながら回転して伝動ユニット２１を連動し、また、該伝動ユニット２１が連動ユニット２３を連動して回転座３１を駆動させる。この時、回転座３１が模様ブロック３２と連動して回転することから、凹凸形状の模様部３２１が描き部材４０の押し部４１３を押し込んだり引き込んだりすることによって、描き部材４０のペン挿設部４１を保持リブ１１２２との間に位置させながら、バネ４４により模様ブロック３２と当接するように摺動スペースに往復移動し、ペン芯部４２によって精確にかつ綺麗に波線を描くことができる。
【００２７】
一方、本発明に係る軌跡ペンにおいて、その伝動ユニット２１と連動ユニット２３とは、歯車を用いて連動させてもよいが、チェーンまたはベルトなどの連動手段を用いて連動させてもよく、伝動ユニット２１が連動ユニット２３と連動しながら回転座３１を回転させられる構成であれば、如何なる連動手段を用いてもよい。
【００２８】
更に、前記回動部材３０の模様ブロック３２を交換する場合は、使用者が外部カバー１０の２つの対称の半フレーム１１を分離させて位置決め蓋３３を取り外して模様ブロック３２を交換することができることから、所望の模様ブロック３２を自由に且つ簡単に交換することができるので、実用性が極めて高い。
【符号の説明】
【００２９】
１０        外部フレーム
１１        半フレーム
１１１      駆動装着部
１１１０１  伝動穴
１１１０２  連動穴
１１１１    回転板
１１１２    保持板
１１１２１  保持穴
１１２      描き装着部
１１２１    摺動溝
１１２２    保持リブ
１１２３    バネ止めリブ
２０        駆動部材
２１        伝動ユニット
２１１      伝動傘歯車
２１２      係合ブロック
２１３      取付軸
２１４      ホイール
２２        ホイール
２２１      係合穴
２３        連動ユニット
２３１      連動傘歯車
２３２      連動軸
３０        回動部材
３１        回転座
３１１      回転傘歯車
３１２      回転棒
３２        模様ブロック
３２１      模様部
３２２      環装穴
３２３      係合部
３３        位置決め蓋
３３１      凹部
４０        描き部材
４１        ペン挿設部
４１１      螺合設置部
４１２      芯穴
４１３      押し部
４１４      ロッド
４１５      摺動部
４２        ペン芯部
４２１      ヘッド
４３        止めリング
４４        バネ
【図１】
2016221855.tif 000003
【図２Ａ】
2016221855.tif 000004
【図２Ｂ】
2016221855.tif 000005
【図３】
2016221855.tif 000006
【図４】
2016221855.tif 000007
【図５】
2016221855.tif 000008
【図６】
2016221855.tif 000009
【図７】
2016221855.tif 000010